(57)【要約】【課題】  内分泌かく乱作用により影響を受ける遺伝子を搭載したＤＮＡアレイ、該アレイを用いて、被験物質の内分泌かく乱作用を解析する方法、該アレイを用いた内分泌かく乱を引き起こす可能性のある物質を検出する方法、及び内分泌かく乱作用により影響を受ける遺伝子を標的核酸とする定量核酸増幅方法による被験物質の内分泌かく乱作用を解析する方法を提供すること。【解決手段】  内分泌かく乱作用により影響を受ける遺伝子の塩基配列を有する核酸又はその断片を搭載したＤＮＡアレイ、該アレイを用いる被験物質の内分泌かく乱作用を解析する方法、該アレイを用いる内分泌かく乱を引き起こす可能性のある物質を検出する方法、及び内分泌かく乱作用により影響を受ける遺伝子の塩基配列を有する核酸又はその断片を標的核酸とする定量核酸増幅方法によって被験物質の内分泌かく乱作用を解析する方法。【選択図】  なし【特許請求の範囲】
【請求項１】
被験物質の有する内分泌かく乱作用を解析するためのＤＮＡアレイであって、前記ＤＮＡアレイ上の核酸は、下記遺伝子の塩基配列を有する核酸又はその断片からなることを特徴とするＤＮＡアレイ。
（１）CDC6_(cell division cycle 6, S. cerevisiae) homolog（GenBank Accession:NM_001254）
（２）procollagen-lysine,_2-oxoglutarate 5-dioxygenase (lysine hydroxylase) 2 (GenBank Accession:NM_000935)
（３）cyclin_D1 (PRAD1: parathyroid adenomatosis 1) (GenBank Accession:NM_053056)
（４）nuclear_autoantigenic sperm protein (histone-binding) (GenBank Accession:NM_002482)
（５）trophoblast_glycoprotein (GenBank Accession:NM_006670)
（６）neural_precursor cell expressed, developmentally down-regulated 4-like (GenBank Accession:AB_007899)
（７）BCL2-antagonist/killer 1 (GenBank Accession:NM_001188)
【請求項２】
被験物質の有する内分泌かく乱作用を解析する方法であって、下記工程を包含することを特徴とし、
（ａ）細胞と被験物質を接触させる工程、
（ｂ）工程（ａ）で得られた細胞ならびに被験物質と接触していない細胞よりそれぞれＲＮＡを単離する工程、および
（ｃ）工程（ｂ）で得られたＲＮＡもしくは該ＲＮＡを鋳型として調製した核酸とＤＮＡアレイとのハイブリダイゼーションを行い、対照と比較して被験物質の有する内分泌かく乱作用を解析する工程、ここで前記ＤＮＡアレイ上の核酸は、下記遺伝子の塩基配列を有する核酸又はその断片からなることを特徴とする方法。
（１）CDC6_(cell division cycle 6, S. cerevisiae) homolog（GenBank Accession:NM_001254）
（２）procollagen-lysine,_2-oxoglutarate 5-dioxygenase (lysine hydroxylase) 2 (GenBank Accession:NM_000935)
（３）cyclin_D1 (PRAD1: parathyroid adenomatosis 1) (GenBank Accession:NM_053056)
（４）nuclear_autoantigenic sperm protein (histone-binding) (GenBank Accession:NM_002482)
（５）trophoblast_glycoprotein (GenBank Accession:NM_006670)
（６）neural_precursor cell expressed, developmentally down-regulated 4-like (GenBank Accession:AB_007899)
（７）BCL2-antagonist/killer 1 (GenBank Accession:NM_001188)
【請求項３】
内分泌かく乱を引き起こす可能性のある物質を検出する方法であって、下記工程を包含することを特徴とし、
（ａ）細胞に被験物質を接触させる工程、
（ｂ）工程（ａ）で得られた細胞よりＲＮＡを単離する工程、
（ｃ）工程（ｂ）で得られたＲＮＡもしくは該ＲＮＡを鋳型として調製した核酸とＤＮＡアレイとのハイブリダイゼーションを行い、被験物質で処理した細胞における遺伝子の発現パターンを解析する工程、ここで前記ＤＮＡアレイ上の核酸は、下記遺伝子の塩基配列を有する核酸又はその断片からなり、
（１）CDC6_(cell division cycle 6, S. cerevisiae) homolog（GenBank Accession:NM_001254）
（２）procollagen-lysine,_2-oxoglutarate 5-dioxygenase (lysine hydroxylase) 2 (GenBank Accession:NM_000935)
（３）cyclin_D1 (PRAD1: parathyroid adenomatosis 1) (GenBank Accession:NM_053056)
（４）nuclear_autoantigenic sperm protein (histone-binding) (GenBank Accession:NM_002482)
（５）trophoblast_glycoprotein (GenBank Accession:NM_006670)
（６）neural_precursor cell expressed, developmentally down-regulated 4-like (GenBank Accession:AB_007899)
（７）BCL2-antagonist/killer 1 (GenBank Accession:NM_001188)
、および
（ｄ）工程（ｃ）で得られた結果と既知の内分泌かく乱物質で処理した場合の遺伝子の発現パターンとを比較することにより、内分泌かく乱を引き起こす可能性のある物質を検出する方法。
【請求項４】
被験物質の有する内分泌かく乱作用を解析する方法であって、下記工程を包含することを特徴とし、
（ａ）細胞と被験物質を接触させる工程、
（ｂ）工程（ａ）で得られた細胞ならびに被験物質と接触していない細胞よりそれぞれＲＮＡを単離する工程、および
（ｃ）工程（ｂ）で得られたＲＮＡもしくは該ＲＮＡを鋳型として調製した核酸のいずれかを鋳型として核酸増幅反応を行い、標的核酸の量を定量する工程、ここで前記標的核酸は、下記遺伝子の塩基配列を有する核酸又はその断片であることを特徴とする方法。
（１）CDC6_(cell division cycle 6, S. cerevisiae) homolog（GenBank Accession:NM_001254）
（２）procollagen-lysine,_2-oxoglutarate 5-dioxygenase (lysine hydroxylase) 2 (GenBank Accession:NM_000935)
（３）cyclin_D1 (PRAD1: parathyroid adenomatosis 1) (GenBank Accession:NM_053056)
（４）nuclear_autoantigenic sperm protein (histone-binding) (GenBank Accession:NM_002482)
（５）trophoblast_glycoprotein (GenBank Accession:NM_006670)
（６）neural_precursor cell expressed, developmentally down-regulated 4-like (GenBank Accession:AB_007899)
（７）BCL2-antagonist/killer 1 (GenBank Accession:NM_001188)
【発明の詳細な説明】
【技術分野】
【０００１】
本発明は、内分泌かく乱作用が疑われる物質について内分泌かく乱作用の有無を評価する方法に関する。
【背景技術】
【０００２】
内分泌かく乱物質（環境ホルモンともいわれる）は、環境中に放出された化学物質のうちホルモン類似作用あるいは抗ホルモン作用が見出されたものの総称をいう。野生動物の生態系への影響としては、生殖能の変化、特に雄の雌化、生殖能の低下、孵化率の低下、胎仔の生存率の低下、生殖行動の異常等が報告されている。また、ヒトの健康への影響としては、精子数の減少、子宮内膜症、不妊、卵巣ガン、子宮ガン、前立腺ガン等が疑われているが、証明はされていない。
内分泌かく乱を引き起こすと考えられている物質としてアルキルフェノール、ビスフェノールＡ、ダイオキシン類、ＤＤＴおよびその代謝物、フタル酸エステル、トリブチルスズ、塩素化炭化水素類、有機金属、植物エストロゲン等が知られている。
【０００３】
これらの物質の一次作用としては、１）ホルモンレセプターとの直接作用（合成ホルモン剤、ＤＤＴ、フタル酸エステル等）、２）他のレセプターを介する作用（ダイオキシン等）、３）代謝阻害作用（ステロイド代謝阻害剤、アロマターゼや５α―レダクターゼの阻害剤等）、４）他のシステムを介する作用（神経系や免疫系に影響を与える物質）などが知られており、作用様式は多様である（例えば、非特許文献１参照）。
【０００４】
一方、内分泌かく乱物質の測定法としては、インビトロとインビボの２通りの方法が知られており、前者ではエストロゲンレセプターやアンドロゲンレセプターとの結合活性を測定する方法や、ホルモン合成酵素系の阻害活性を測定する方法が知られている。後者では、出生後日齢の異なるラットの各種ホルモン産生および組織形成異常を測定する方法、カエルの変態異常を測定する方法、サカナの成熟異常を測定する方法等が知られている（例えば、非特許文献２参照）。
【０００５】
しかし、現在のところ注目されている内分泌かく乱物質と疑われている物質が本当に内分泌かく乱を引き起こすのか、もし引き起こすのならどのようなメカニズムで影響を及ぼしているのか、さらにどのくらいの量をどれくらいの時間摂取すると危険なのかについての明解な解答は得られていない。
例えば、現在行われているホルモンレセプターとの結合試験は、一次スクリーニングという見地からすれば、必要かつ重要な方法である。しかし、この方法で得られる結果は、内分泌かく乱物質であることを保証するものではない。すなわち、エストラジオール（女性ホルモン）もＤＥＳ（内分泌かく乱物質）もイソフラボン（豆に含まれるヒトには無害な成分）もビスフェノールＡ（内分泌かく乱物質と疑われている物質）もＥＣ５０の値に差はあるものの、すべてエストロゲンレセプターに結合するため、このアッセイ方法ではどの内分泌かく乱作用を持っているのか区別できない。これは、従来の酵母を用いたアッセイ系、培養細胞を用いる系、ネズミの子宮重量を測定する系などのいずれの方法でも同じである。
すなわち現在のホルモンレセプターへの結合活性やホルモン合成酵素系の阻害活性を、インビトロで測定する方法は、内分泌かく乱物質測定法としての必要条件は満たしているが、決して十分条件ではない。また、ラット、カエル、サカナ等の生育や形態形成に及ぼす影響をインビボで調べる方法は、感度が低い上、複雑で、多数のサンプルを調べるには長時間を必要とする。また、環境ホルモンと称されるものは、ごく少量で内分泌系に影響するといわれ、これをいわゆるバイオアッセイで評価するのは極めて困難である。
【０００６】
そこで最近は、ＤＮＡマイクロアレイを用いた内分泌かく乱物質の解析方法が提案されている（例えば、特許文献１又は２）。しかしながら、上記文献のいずれにおいても、内分泌かく乱物質によって影響をうける遺伝子の発現の上下を開示するばかりで、どの遺伝子が内分泌かく乱物質の内分泌かく乱作用を解析するのに有効であるかについて何ら開示はない。
以上のように、被験物質の内分泌かく乱作用を解析するための遺伝子工学的ツールならびに解析方法が求められていた。
【０００７】
【特許文献１】国際公開第００／２６４０４号パンフレット
【特許文献２】特開２００２−３５５０７９号パンフレット
【非特許文献１】化学、第５３巻、第７号、第１２〜１５頁（１９９８）
【非特許文献２】アナリティカル  ケミストリー（Ａｎａｌｙｔｉｃａｌ  Ｃｈｅｍｉｓｔｒｙ）第７０巻、第１５号、第５２８Ａ〜５３２Ａ頁（１９９８）
【発明の開示】
【発明が解決しようとする課題】
【０００８】
本発明の目的は、（１）内分泌かく乱作用により影響を受ける遺伝子を搭載したＤＮＡアレイ、（２）該アレイを用いて、被験物質の内分泌かく乱作用を解析する方法、（３）該アレイを用いた内分泌かく乱を引き起こす可能性のある物質を検出する方法、及び（４）内分泌かく乱作用により影響を受ける遺伝子を標的核酸とする定量核酸増幅方法による被験物質の内分泌かく乱作用を解析する方法を提供することにある。
【課題を解決するための手段】
【０００９】
本発明者はかかる目的を達成するために鋭意検討した結果、内分泌かく乱物質の作用により影響を受ける遺伝子の組み合わせを見出し、迅速、高感度でしかも同時に多数の試料について被験物質の内分泌かく乱作用の有無を評価する方法を構築し本発明を完成した。
【００１０】
すなわち、本発明の第一の発明は、被験物質の有する内分泌かく乱作用を解析するためのＤＮＡアレイであって、前記ＤＮＡアレイ上の核酸は、下記遺伝子の塩基配列を有する核酸又はその断片からなることを特徴とするＤＮＡアレイに関する。
（１）CDC6_(cell division cycle 6, S. cerevisiae) homolog（GenBank Accession:NM_001254）
（２）procollagen-lysine,_2-oxoglutarate 5-dioxygenase (lysine hydroxylase) 2 (GenBank Accession:NM_000935)
（３）cyclin_D1 (PRAD1: parathyroid adenomatosis 1) (GenBank Accession:NM_053056)
（４）nuclear_autoantigenic sperm protein (histone-binding) (GenBank Accession:NM_002482)
（５）trophoblast_glycoprotein (GenBank Accession:NM_006670)
（６）neural_precursor cell expressed, developmentally down-regulated 4-like (GenBank Accession:AB_007899)
（７）BCL2-antagonist/killer 1 (GenBank Accession:NM_001188)
【００１１】
本発明の第１の発明において、さらに下記遺伝子下記遺伝子の塩基配列を有する核酸又はその断片を組み合わせてなるＤＮＡアレイであってもよい。
（１）prostaglandin_E_synthase (GenBank Accession:AF010316)
（２）interferon-related_developmental regulator 2 (GenBank Accession:NM_006764)
（３）v-erb-b2_avian erythroblastic leukemia viral oncogene homolog 2 (neuro/glioblastoma derived oncogene homolog) (GenBank Accession:NM_004448)
（４）cyclin-dependent_kinase 6 (GenBank Accession:NM_001259)
（５）trefoil_factor_1_(breast_cancer,_estrogen-inducible_sequence_expressed_in) (GenBank Accession:X00474)
（６）solute_carrier family 7 (cationic amino acid transporter, y+ system), member 5 (GenBank Accession:AF104032)
（７）early_growth response 3 (GenBank Accession:NM_004430)
（８）amphiregulin_(schwannoma-derived growth factor) (GenBank Accession:NM_001657)
（９）GTP-binding_protein overexpressed in skeletal muscle (GenBank Accession:NM_005261)
（１０）progesterone_receptor (GenBank Accession:X51730)
（１１）transforming_growth_factor,_beta_3 (GenBank Accession:X14885)
（１２）CBF1_interacting_corepressor (GenBank Accession:U03644)
（１３）alpha-2-glycoprotein_1, zinc (GenBank Accession:NM_001185)
（１４）thioredoxin_reductase 1 (GenBank Accession:NM_003330)
（１５）retinoblastoma-binding_protein_1 (GenBank Accession:S66427)
（１６）connective_tissue growth factor (GenBank Accession:NM_001901)
（１７）ribosomal_protein S15a (GenBank Accession:AK023088)
（１８）B-cell_translocation gene 1, anti-proliferative (GenBank Accession:NM_001731)
（１９）ribosomal_protein S6 kinase, 70kD, polypeptide 1 (GenBank Accession:NM_003161)
（２０）RAB31,_member RAS oncogene family (GenBank Accession:AF183421)
（２１）serine_(or cysteine) proteinase inhibitor, clade I (neuroserpin), member 1 (GenBank Accession:NM_005025)
（２２）translocated_promoter region (to activated MET oncogene) (GenBank Accession:NM_003292)
（２３）stearoyl-CoA_desaturase (delta-9-desaturase) (GenBank Accession:AB032261)
（２４）interleukin_1 receptor, type I (GenBank Accession:NM_000877)
（２５）nuclear_receptor_co-repressor_1 (GenBank Accession:AF044209)
（２６）bone_morphogenetic protein 7 (osteogenic protein 1) (GenBank Accession:NM_001719)
（２７）v-myc_avian_myelocytomatosis_viral_oncogene_homolog ;J00120;c-myc_proto-oncogene (GenBank Accession:K02276)
（２８）PTK7_protein_tyrosine_kinase_7 (GenBank Accession:U33635)
（２９）histone_deacetylase 3 (GenBank Accession:AF130111)
【００１２】
あるいは、本発明の第１の発明においては、さらに下記遺伝子の塩基配列を有する核酸又はその断片を組み合わせてなるＤＮＡアレイであってもよい。
（１）solute_carrier family 29 (nucleoside transporters), member 1(NM_004955)
（２）proliferating_cell nuclear antigen(NM_002592)
（３）methylenetetrahydrofolate_dehydrogenase (NADP+ dependent), methenyltetrahydrofolate cyclohydrolase, formyltetrahydrofolate synthetase(NM_005956)
（４）CTP_synthase(NM_001905)
（５）cathepsin_D (lysosomal aspartyl protease)( NM_001909)
（６）breast cancer 1, early onset(NM_007295)
（７）replication_factor C (activator 1) 4 (37kD)( NM_002916)
（８）keratin_13(NM_002274)
（９）nucleolar_and coiled-body phosphprotein 1(D21262)
（１０）membrane-associated_tyrosine- and threonine-specific cdc2-inhibitory kinase(NM_004203)
（１１）nucleoside_phosphorylase(NM_000270)
（１２）chromosome_segregation 1 (yeast homolog)-like(NM_001316)
（１３）RAN_binding protein 1(NM_002882)
（１４）H2B_histone family, member Q(NM_003528)
（１５）HMG-box_containing protein 1(NM_012257)
（１６）phosphoinositide-3-kinase,_regulatory subunit, polypeptide 3 (p55, gamma)( NM_003629)
（１７）peripheral_myelin protein 22(NM_000304)
（１８）nuclear_receptor coactivator 3(NM_006534)
（１９）GS3955_protein(NM_021643)
【００１３】
本発明の第２の発明は、被験物質の有する内分泌かく乱作用を解析する方法であって、下記工程を包含することを特徴とし、
（ａ）細胞と被験物質を接触させる工程、
（ｂ）工程（ａ）で得られた細胞ならびに被験物質と接触していない細胞よりそれぞれＲＮＡを単離する工程、および
（ｃ）工程（ｂ）で得られたＲＮＡもしくは該ＲＮＡを鋳型として調製した核酸とＤＮＡアレイとのハイブリダイゼーションを行い、対照と比較して被験物質の有する内分泌かく乱作用を解析する工程、ここで前記ＤＮＡアレイ上の核酸は、下記遺伝子の塩基配列を有する核酸又はその断片からなることを特徴とする方法に関する。
（１）CDC6_(cell division cycle 6, S. cerevisiae) homolog（GenBank Accession:NM_001254）        
（２）procollagen-lysine,_2-oxoglutarate 5-dioxygenase (lysine hydroxylase) 2 (GenBank Accession:NM_000935)
（３）cyclin_D1 (PRAD1: parathyroid adenomatosis 1) (GenBank Accession:NM_053056)
（４）nuclear_autoantigenic sperm protein (histone-binding) (GenBank Accession:NM_002482)
（５）trophoblast_glycoprotein (GenBank Accession:NM_006670)
（６）neural_precursor cell expressed, developmentally down-regulated 4-like (GenBank Accession:AB_007899)
（７）BCL2-antagonist/killer 1 (GenBank Accession:NM_001188)
【００１４】
本発明の第３の発明は、内分泌かく乱を引き起こす可能性のある物質を検出する方法であって、
（ａ）細胞に被験物質を接触させる工程、
（ｂ）工程（ａ）で得られた細胞よりＲＮＡを単離する工程
（ｃ）工程（ｂ）で得られたＲＮＡもしくは該ＲＮＡを鋳型として調製した核酸とＤＮＡアレイとのハイブリダイゼーションを行い、被験物質で処理した細胞における遺伝子の発現パターンを解析する工程、ここで前記ＤＮＡアレイ上の核酸は、下記遺伝子の塩基配列を有する核酸又はその断片からなり、
（１）CDC6_(cell division cycle 6, S. cerevisiae) homolog（GenBank Accession:NM_001254）        
（２）procollagen-lysine,_2-oxoglutarate 5-dioxygenase (lysine hydroxylase) 2 (GenBank Accession:NM_000935)
（３）cyclin_D1 (PRAD1: parathyroid adenomatosis 1) (GenBank Accession:NM_053056)
（４）nuclear_autoantigenic sperm protein (histone-binding) (GenBank Accession:NM_002482)
（５）trophoblast_glycoprotein (GenBank Accession:NM_006670)
（６）neural_precursor cell expressed, developmentally down-regulated 4-like (GenBank Accession:AB_007899)
（７）BCL2-antagonist/killer 1 (GenBank Accession:NM_001188)
、および
（ｄ）工程（ｃ）で得られた結果と既知の内分泌かく乱物質で処理した場合の遺伝子の発現パターンとを比較することにより、内分泌かく乱を引き起こす可能性のある物質を検出する方法に関する。
【００１５】
本発明の第４の発明は、被験物質の有する内分泌かく乱作用を解析する方法であって、下記工程を包含することを特徴とし、
（ａ）細胞と被験物質を接触させる工程、
（ｂ）工程（ａ）で得られた細胞ならびに被験物質と接触していない細胞よりそれぞれＲＮＡを単離する工程、および
（ｃ）工程（ｂ）で得られたＲＮＡもしくは該ＲＮＡを鋳型として調製した核酸のいずれかを鋳型として核酸増幅反応を行い、標的核酸の量を定量する工程、ここで前記標的核酸は、下記遺伝子の塩基配列を有する核酸又はその断片であることを特徴とする方法に関する。
（１）CDC6_(cell division cycle 6, S. cerevisiae) homolog（GenBank Accession:NM_001254）        
（２）procollagen-lysine,_2-oxoglutarate 5-dioxygenase (lysine hydroxylase) 2 (GenBank Accession:NM_000935)
（３）cyclin_D1 (PRAD1: parathyroid adenomatosis 1) (GenBank Accession:NM_053056)
（４）nuclear_autoantigenic sperm protein (histone-binding) (GenBank Accession:NM_002482)
（５）trophoblast_glycoprotein (GenBank Accession:NM_006670)
（６）neural_precursor cell expressed, developmentally down-regulated 4-like (GenBank Accession:AB_007899)
（７）BCL2-antagonist/killer 1 (GenBank Accession:NM_001188)
【発明の効果】
【００１６】
以上のように、本発明により被験物質の有する内分泌かく乱作用にの解析のためのＤＮＡマイクロアレイが提供される。本発明のＤＮＡアレイを用いることにより、既知の内分泌かく乱物質と同等の内分泌かく乱作用を有する未知物質を同定することができる。
【発明を実施するための最良の形態】
【００１７】
本明細書において内分泌かく乱物質とは、外因性内分泌かく乱物質もしくは環境ホルモンとも称されるが、動物の生体内に取り込まれた場合に、本来その生体内で営まれている正常なホルモン作用に影響を与える外因性の物質を意味し、正常なホルモン作用を維持するもの、促進するものも含まれる。また、正常なホルモン作用に影響を与える可能性のある物質も含まれる。該物質については特に限定されるものではないが、例えばヒトの膣癌を引き起こすことが知られているジエチルスチルベストロール（ＤＥＳ）や骨粗鬆症治療に有効であり、かつ乳癌のリスクを低減させることが知られている植物エストロゲンのイソフラボン等が挙げられる。
【００１８】
本明細書において内分泌かく乱を引き起こす可能性のある物質とは、本来その生体内で営まれている正常なホルモン作用に影響を与える可能性のある物質を意味し、その作用が確認されたものおよびいまだ確認されていないものも含まれる。
【００１９】
本明細書記載の内分泌かく乱物質の影響を受ける遺伝子とは、上記の内分泌かく乱物質によってその発現が対照と比較して促進または抑制される遺伝子を意味する。該遺伝子は、１種類でも複数の種類であってもよい。さらに、内分泌かく乱物質が直接的に影響を与えるもの及び間接的にその発現に影響を与える遺伝子も含まれる。該遺伝子としては特に限定されるものではないが、例えば、上記ジエチルスチルベストロールやイソフラボンが結合することが知られているエストロゲンレセプター遺伝子およびそのシグナル伝達経路に関与する遺伝子等が挙げられる。
【００２０】
以下、本発明を具体的に説明する。
（１）被験物質の有する内分泌かく乱作用を解析するためのＤＮＡアレイ
本発明のＤＮＡアレイは、支持体上に遺伝子またはその断片等の核酸が固定されているものを示し、例えばＤＮＡチップと呼称されているものが挙げられる。当該ＤＮＡアレイに用いる支持体は、ハイブリダイゼーションに使用可能なものであれば特に限定はなく、通常、スライドグラス、シリコンチップ、ニトロセルロースやナイロンの膜等が使用される。また、支持体上に固定される遺伝子またはその断片としては、特に限定されるものではないが、例えばゲノムＤＮＡライブラリーあるいはｃＤＮＡライブラリーを鋳型としたＰＣＲ等によって増幅されたＤＮＡを使用できる。また、固定化される核酸は、センス鎖、アンチセンス鎖のいずれかあるいは両方であってもよい。上記の遺伝子またはその断片を公知の方法、例えばアミノ基を導入した支持体上に固定することにより該ＤＮＡアレイを作製することができる。このようなＤＮＡアレイを使用することにより、核酸試料中に含まれる多種類の核酸分子の量を同時に測定することができる。また、少量の核酸試料でも測定できるという利点がある。
本発明で使用されるＤＮＡアレイには、ホルモンの作用発現に関連した機能を有するタンパクをコードする遺伝子またはその断片が固定される。このような遺伝子としては、特に限定されるものではないが、例えばホルモンレセプター遺伝子、レセプターのコファクターをコードする遺伝子、レセプターからのシグナル伝達に関与するタンパクをコードする遺伝子、ホルモンの生合成もしくは代謝に関与するタンパクをコードする遺伝子、またはオンコジーン等が挙げられる。
特に限定はされないが例えば、以下の遺伝子の塩基配列を有する核酸あるいはその断片からなるＤＮＡマイクロアレイが好適である。
（１）CDC6_(cell division cycle 6, S. cerevisiae) homolog（GenBank Accession:NM_001254）        
（２）procollagen-lysine,_2-oxoglutarate 5-dioxygenase (lysine hydroxylase) 2 (GenBank Accession:NM_000935)
（３）cyclin_D1 (PRAD1: parathyroid adenomatosis 1) (GenBank Accession:NM_053056)
（４）nuclear_autoantigenic sperm protein (histone-binding) (GenBank Accession:NM_002482)
（５）trophoblast_glycoprotein (GenBank Accession:NM_006670)
（６）neural_precursor cell expressed, developmentally down-regulated 4-like (GenBank Accession:AB_007899)
（７）BCL2-antagonist/killer 1 (GenBank Accession:NM_001188)
（上記遺伝子名については、UniGene NameとGenBank Nameが異なるときは、UniGene Nameを記載している。）
【００２１】
本発明のＤＮＡアレイにおいては、必要に応じて上記７遺伝子の塩基配列を有する核酸又はその断片にさらに別の遺伝子の塩基配列を有する核酸又はその断片を加えて、実施例３の表３２〜表３３に記載の３６遺伝子、実施例５の表７４に記載の２６遺伝子を使用してもよい。さらに、実施例４の表５４〜表７３に記載の遺伝子群から選択された遺伝子の塩基配列を有する核酸またはその断片を組み合わせて使用してもよい。
【００２２】
上記遺伝子の断片は、上記遺伝子のGenBank Accession No.から得られた塩基配列をもとに市販のプライマー構築ソフトを用いて選択したプライマーを用いたＰＣＲ法等により調製する事ができる。特に限定はされないが、例えば配列表の配列番号１〜７２記載の塩基配列を有するプライマーを用いることができる。さらに、配列番号３〜６、１５、１６、２１、２２、５３、５４、６１、６２、６５、６６記載の塩基配列を有するプライマーを用いることができる。前記プライマーの組み合わせについては、実施例３の表３２〜表３３に記載した組み合わせが好適である。また、上記核酸増幅方法は目的の増幅断片を得られるものであれば特に限定はなく、例えばＰＣＲ法、ＲＴ−ＰＣＲ法、ＩＣＡＮ法、ＬＡＭＰ法あるいはＳＤＡ法のいずれもが好適に使用できる。
【００２３】
また、ＤＮＡアレイの作製方法については、米国特許第６２６１７７６号、第５７００６３７号公報等に記載の固相合成方法、米国特許第５８０７５２２号公報等に記載のスポッティング法、米国特許第６０７９２８３号、第６０８３７６２号公報等に記載のインクジェット法のいずれもが好適に使用できる。
【００２４】
（２）本発明の被験物質の有する内分泌かく乱作用を解析する方法
本発明の被験物質の有する内分泌かく乱作用を解析する方法は、下記工程
（ａ）細胞と被験物質を接触させる工程、
（ｂ）工程（ａ）で得られた細胞ならびに被験物質と接触していない細胞よりそれぞれＲＮＡを単離する工程、および
（ｃ）工程（ｂ）で得られたＲＮＡもしくは該ＲＮＡを鋳型として調製した核酸とＤＮＡアレイとのハイブリダイゼーションを行い、対照と比較して被験物質の有する内分泌かく乱作用を解析する工程、ここで前記ＤＮＡアレイは、上記（１）に記載の遺伝子の塩基配列を有する核酸又はその断片からなることを特徴とする。
【００２５】
本発明の方法に供する、内分泌かく乱物質の内分泌かく乱作用によってその発現が変化している遺伝子を含む核酸試料としては、例えば内分泌かく乱物質に感受性を示す細胞や組織（臓器）に任意の内分泌かく乱物質を接触させた後、経時的あるいは経日的に細胞や組織より調製されるｍＲＮＡ、もしくは該ｍＲＮＡを鋳型とした逆転写反応により得られるｃＤＮＡを使用することができる。あるいは、該ｃＤＮＡから調製したａｍｐｌｉｆｉｅｄ  ＲＮＡ（ａＲＮＡ）であってもよい。
【００２６】
被験物質あるいは内分泌かく乱物質の可能性のある物質含んだ試料と接触させる細胞は、生物体から採取したものでも培養細胞でもよい。また、組織は、内分泌かく乱物質によって影響が出ていると思われる部位であれば特に限定はない。さらに使用する細胞、組織もしくは生物体は、特にヒトに限定されるわけではない。
【００２７】
本発明においては、ＭＣＦ−７細胞およびＴ−４７Ｄ細胞が好適に使用でき、当該細胞はともに転移性乳癌患者の胸水浸出細胞から樹立された細胞である。性質としては、上皮様で多角形の細胞で、分化した乳腺上皮細胞の特徴であるドーム形成をおこなう。この細胞はエストロゲン投与によって細胞増殖を促進されるなど、エストロゲン応答性を示す。また、エストロゲン受容体、プロゲステロン受容体を有する。特にエストロゲン受容体レベルが高く、エストロゲンによる遺伝子発現や細胞増殖の調節を研究する上で有用な細胞株である。
【００２８】
一方、対照とする細胞、組織または生物体よりｍＲＮＡもしくはそのｃＤＮＡを含む核酸試料についても上記と同様に調製し、ハイブリダイゼーションさせる。核酸試料がＤＮＡアレイ上のＤＮＡとハイブリダイゼーションしているか否かの結果を容易に確認できるように下記のように適当な標識をしておくことが好ましい。該標識方法としては特に限定されるものではないが、例えば放射性同位元素、蛍光物質、化学発光物質、適当な抗体により認識される抗原等の物質を使用することができる。また、核酸試料を認識することなくハイブリダイゼーションを行い、その後に蛍光、化学発光を発するインターカレーター物質を使用してもよい。特に限定はされないが、例えばＣｙ５標識（アマシャム  バイオサイエンス社製）あるいはＣｙ３標識（アマシャム  バイオサイエンス社製）が好適に使用できる。
【００２９】
こうして得られた核酸試料と上記ＤＮＡアレイ上のＤＮＡとのハイブリダイゼーションは、公知の方法で実施することができる。ハイブリダイゼーションおよび洗浄工程は、ＤＮＡアレイ上のＤＮＡの鎖長等に応じて最適な条件で行なうことは当然であるが、例えばモレキュラー  クローニング、ア  ラボラトリーマニュアル（Ｍｏｌｅｃｕｌａｒ  ｃｌｏｎｉｎｇ，  Ａ  ｌａｂｏｒａｔｏｒｙ  ｍａｎｕａｌ）、第２版、第９．５２〜９．５５頁（１９８９）に記載の条件で行なうことができる。
【００３０】
被験物質あるいは内分泌かく乱物質を含んだ試料と接触させた細胞、組織または生物体由来の核酸試料と対照の核酸試料とのハイブリダイゼーションの結果を比較することにより、両者でシグナルの強度に有意な差のある遺伝子を検出することができる。具体的には、上記の方法で標識された遺伝子がハイブリダイズしたアレイについて放射能、蛍光、発光等のシグナル強度を専用測定器、例えばクロマトスキャナーもしくはイメージアナライザー等を用いて検出することによって、そのシグナル強度の差から当該内分泌かく乱物質の影響により、その発現量が有意に変化する遺伝子を検出することができる。
また、複数の標識、例えば２種類の蛍光を検出することができる多波長検出蛍光アナライザーを用いれば、被験物質、内分泌かく乱物質あるいは対照（コントロール）と接触させた細胞、組織または生物体由来の核酸試料と対照の核酸試料との遺伝子発現の差を同じＤＮＡアレイ上で比較することができる。例えば、内分泌かく乱物質と接触させた細胞由来の核酸試料はＣｙ３―ｄＵＴＰで蛍光標識し、対照の核酸試料はＣｙ５−ｄＵＴＰで蛍光標識する。両者を等量混合して本発明のＤＮＡアレイとハイブリダイゼーションを行なうことで両者の遺伝子発現の差を色の違いとして検出することができ、その結果から被験物質の有する内分泌かく乱作用をＤＮＡアレイに搭載した核酸に対応する遺伝子の発現量の有意な変化として数値化することができる。
さらに上記の方法で得られた発現パターンを、既知の内分泌かく乱物質のそれと比較することにより被験物質の内分泌かく乱作用を数値化し、解析することができる。
本発明の方法によって、被験物質の有する内分泌かく乱作用を遺伝子の発現パターンとして、さらに遺伝子的なシグナル伝達経路のパターン変化として認識することができる。また、本発明の方法においては、従来知られていない新しいシグナル伝達経路のパターン変化を検出することもできる。
【００３１】
（３）本発明の内分泌かく乱を引き起こす可能性のある物質を検出する方法
本発明の方法は、
（ａ）細胞に被験物質を接触させる工程、
（ｂ）工程（ａ）で得られた細胞よりＲＮＡを単離する工程、
（ｃ）工程（ｂ）で得られたＲＮＡもしくは該ＲＮＡを鋳型として調製した核酸とＤＮＡアレイとのハイブリダイゼーションを行い、被験物質で処理した細胞における遺伝子の核酸の発現パターンを解析する工程、ここで前記ＤＮＡは、上記（１）記載のＤＮＡアレイであって、
（ｄ）工程（ｃ）で得られた結果と既知の内分泌かく乱物質で処理した場合の遺伝子の発現パターンとを比較することにより、内分泌かく乱を引き起こす可能性のある物質を検出することを特徴とする。
本発明の方法においては、あらかじめ既知の内分泌かく乱物質の内分泌かく乱作用を本発明のＤＮＡアレイで解析した結果と内分泌かく乱を引き起こす物質が含有されている可能性のある試料を用いて得たＤＮＡアレイ解析結果を比較解析することにより、内分泌かく乱を引き起こす可能性のある物質を検出することができる。あるいは、未知試料中の内分泌かく乱作用を有する物質の存在を解析することができる。
【００３２】
（４）本発明の核酸増幅方法を利用した内分泌かく乱作用を解析する方法
本発明の方法は、被験物質の有する内分泌かく乱作用を解析する方法であって、下記工程を包含することを特徴とし、
（ａ）細胞と被験物質を接触させる工程、
（ｂ）工程（ａ）で得られた細胞ならびに被験物質と接触していない細胞よりそれぞれＲＮＡを単離する工程、および
（ｃ）工程（ｂ）で得られたＲＮＡもしくは該ＲＮＡを鋳型として調製した核酸を鋳型として核酸増幅反応を行い、標的核酸の量を定量する工程、ここで前記標的核酸は、下記遺伝子の塩基配列を有する核酸又はその断片であることを特徴とする。
（１）CDC6_(cell division cycle 6, S. cerevisiae) homolog（GenBank Accession:NM_001254）        
（２）procollagen-lysine,_2-oxoglutarate 5-dioxygenase (lysine hydroxylase) 2 (GenBank Accession:NM_000935)
（３）cyclin_D1 (PRAD1: parathyroid adenomatosis 1) (GenBank Accession:NM_053056)
（４）nuclear_autoantigenic sperm protein (histone-binding) (GenBank Accession:NM_002482)
（５）trophoblast_glycoprotein (GenBank Accession:NM_006670)
（６）neural_precursor cell expressed, developmentally down-regulated 4-like (GenBank Accession:AB_007899)
（７）BCL2-antagonist/killer 1 (GenBank Accession:NM_001188)
（上記遺伝子名については、UniGene NameとGenBank Nameが異なるときは、UniGene Nameを記載している。）
【００３３】
本発明の方法において標的核酸は、上記７遺伝子にさらに別の遺伝子を加えて、実施例３の表３２〜表３３に記載の３６遺伝子、実施例５の表７４に記載の２６遺伝子を使用してもよい。さらに、実施例４の表５４〜表７３に記載の遺伝子群から選択された遺伝子の塩基配列を有する核酸またはその断片を組み合わせて使用してもよい。
【００３４】
本発明において標的核酸は、上記遺伝子あるいはその一部の断片のいずれであってもよい。上記標的核酸を増幅するためのプライマーは、上記遺伝子のGenBank Accession No.から得られた塩基配列をもとに市販のプライマー構築ソフトを用いて選択したプライマーが好適に使用できる。特に限定はされないが、例えば配列表の配列番号１〜７２記載の塩基配列を有するプライマーを用いることができる。前記プライマーの組み合わせについては、実施例３の表３２〜表３３に記載した組み合わせが好適である。また、上記核酸増幅方法には、特に限定はなく、ＰＣＲ法、ＲＴ−ＰＣＲ法、ＩＣＡＮ法、ＬＡＭＰ法、ＳＤＡ法、ＴＭＡ法、ＮＡＳＢＡ法等のいずれもが好適に使用できる。
【００３５】
本発明の方法の一態様としては、内分泌かく乱物質の影響を受けていることが確認できた遺伝子のｍＲＮＡの競合ＲＴ−ＰＣＲあるいはリアルタイムＰＣＲにより実施することができる。その場合、上記プライマーの組み合わせを用いることができ、その増幅結果から影響を受けている遺伝子の発現の度合いを定量的に測定することができる。
上記リアルタイム検出においては、インターカレーターによる検出、ＴａｑＭａｎプローブによる検出、ＤＮＡ−ＲＮＡ−ＤＮＡキメラプローブの開裂反応による検出等の方法が使用できる。
【００３６】
以上のように本発明の内分泌かく乱物質の影響を受ける遺伝子の組み合わせは、その発現パターンの解析により被験物質の内分泌かく乱作用の有無の評価を容易にすることができる。
また、本発明の遺伝子の組み合わせは、バイオマーカーとして有用であり、該遺伝子あるいはその断片を搭載したＤＮＡアレイ解析方法あるいは、該遺伝子又はその一部を標的核酸とした定量核酸増幅方法として使用でき、これらの方法から、新規の内分泌かく乱を引き起こす可能性のある物質を検出・同定する事ができる。
【実施例】
【００３７】
以下、実施例を挙げて、本発明を更に具体的に説明するが、本発明はこれらの実施例に何ら限定されるものではない。
【００３８】
実施例１  エストロゲン増殖アッセイによる被験物質の作用濃度の検討
（１）細胞の調製
被験物質と接触させるための細胞の調製は以下のようにして行った。まず、ＭＣＦ７細胞（American Type Culture Collection社製）とＴ−４７Ｄ細胞（American Type Culture Collection社製）を、フェノールレッドを含むＤｕｌｂｅｃｃｏ’ｓ  ｍｏｄｉｆｉｃａｔｉｏｎ  ｏｆ  Ｅａｇｌｅ’ｓ  ｍｅｄｉｕｍ（ＤＭＥＭ）培地に１０％牛胎仔血清ｆｅｔａｌ  ｃａｌｆ  ｓｅｒｕｍ（ＦＣＳ）およびｐｅｎｉｃｉｌｌｉｎ−ｓｔｒｅｐｔｏｍｙｃｉｎ  ｍｉｘｔｕｒｅ（ＢｉｏＷｈｉｔｔａｋｅｒ社製）を添加した培地（血清培地）を用いて行い、３７℃、飽和湿度、５％二酸化炭素／９５％空気の条件で培養した。また、被験化合物を添加し遺伝子発現への影響を調べる実験に用いた培地は、フェノールレッドを含まないＤＭＥＭ培地に５％のＤＣ−ＦＣＳ、２ｍＭのグルタミンおよびｐｅｎｉｃｉｌｌｉｎ−ｓｔｒｅｐｔｏｍｙｃｉｎ  ｍｉｘｔｕｒｅを添加した培地（無血清培地）を用いた。ここで用いたＤＣ−ＦＣＳとは、Ｃｈａｒｃｏａｌ−ｄｅｘｔｒａｎ処理血清のことであり、血清中に含まれるステロイドホルモン類を除去したＦＣＳのことである。調製は、５００ｍｌの血清に対して、２５ｇのＣｈａｒｃｏａｌ−ａｃｔｉｖａｔｅｄと２．５ｇのＤｅｘｔｒａｎを使用して調製した。すなわち、２５ｇのＣｈａｒｃｏａｌ−ａｃｔｉｖａｔｅｄを蒸留水で洗浄し、ブフナーロートでろ過する操作を２回繰り返し、次に５００ｍｌの血清の入ったボトルに、洗浄したＣｈａｒｃｏａｌ−ａｃｔｉｖａｔｅｄと２．５ｇのＤｅｘｔｒａｎを入れ、途中で何回か振り混ぜながら、一晩静置した。その後、２０００ｒｐｍで２０分間遠心を行い、上清を回収した。これをフィルター滅菌した後、−２０℃で凍結保存した。
【００３９】
（２）被験物質の作用濃度の設定
ＤＮＡチップの実験に用いるＲＮＡを調製するための被験物質の濃度を決めるために、Environ Health Perspect 1995; 103 Suppl7: 113-122 記載のＳｏｔｏらの試験方法を参考にＭＣＦ７とＴ−４７Ｄ細胞を用いて行った。
すなわち、上記（１）で血清培地で一定期間培養したＭＣＦ７細胞またはＴ−４７Ｄ細胞をＰＢＳで洗浄してからトリプシン処理し遠心分離機で細胞を回収後（１０００ｒｐｍ、３分間）、無血清培地で細胞の洗浄を行った。その後、無血清培地でパスツールピペットを用いて単細胞になるまで懸濁し、４×１０３ｃｅｌｌ／ｗｅｌｌとなるように９６ウェルプレートに細胞を添加し２４時間前培養を行った。これらの培地を除去後、各々定められた濃度となるようにＤＭＳＯに溶解した被験１２物質および５種類の対照化合物を無血清培地にＤＭＳＯ濃度が０．１％の持込となるように添加し、さらに６日間の培養を行った。被験１２物質および５種類の対照化合物の細胞に添加する濃度は、フタル酸ジシクロヘキシル（ＤＣＨＰ）、オクタクロロスチレン（ＯＣＳ）は、溶解性の問題からそれぞれ５０μＭ、２５μＭを上限とし、希釈して用いた。また、作用の強さからＥ２とＤＥＳは５ｎＭに、ＥＥは１ｎＭを上限として用いた。その他の化合物は、終濃度１００μＭの溶液が上限となるように希釈して用いた。
細胞の増殖は、ｔｅｔｒａｚｏｌｉｕｍ（ＭＴＴ）の細胞への取り込みをＤＭＳＯで溶解後、比色計で測定した。なお、細胞の増殖率は被験物質を加えず（無処理）に６日間培養したときの細胞数を１００％とした。
【００４０】
濃度設定の基準は、細胞の増殖作用が認められるものについてはその作用が明らかに確認できる濃度とし、それ以外の物質については被験物質添加２４時間後の所見で細胞毒性が認められなかった濃度で一番高い濃度に設定した。そのヒト乳癌由来細胞であるＭＣＦ７を用いた細胞増殖試験の結果を図１、図２に示す。また、Ｔ−４７Ｄを用いた細胞増殖試験の結果を図３、図４に示す。
【００４１】
図１〜図４のグラフにおいて、縦軸は細胞増殖能（％）を示し、横軸は被験物質の濃度（Ｍ）を示す。上記グラフに示したように、エストロゲン増殖アッセイ終了時点で、陽性対照化合物であるＥ２、ＥＥ、ＤＥＳ以外に、ベンゾフェノン（ＢＰ）において、両方の細胞で用量依存的に細胞増殖が認められた。ＭＣＦ７ではオクチルフェノール（ＯＰ）、４−ノニルフェノール（ＮＰ）、フタル酸ジ−ｎ−ブチル（ＤＢＰ）、ＤＣＨＰおよびフタル酸ブチルベンジル（ＢＢＰ）において弱いながら細胞増殖する傾向が認められた。特にフタル酸類は１０μＭ以上の濃度でこの作用が認められた。また、Ｔ−４７ＤではＯＰ、ＮＰおよびＢＢＰにおいてＭＣＦ７と比較して強く反応する傾向がみられた。一方、アジピン酸ジ−２−エチルヘキシル（ＤＯＡ）、トリブチルスズ（ＴＢＴ）、トリフェニルスズ（ＴＰＴ）およびＯＣＳにはまったく細胞増殖が認められなかった。他にフタル酸ジ−２−エチルヘキシル（ＤＥＨＰ）、フタル酸ジエチル（ＤＥＰ）およびプロピオン酸テストステロン（ＴＰ）についても試験を行った。
【００４２】
上記結果を踏まえ、ＭＣＦ７およびＴ−４７Ｄにおいて設定したそれぞれの被験物質の作用濃度を表１および表２に示す。濃度設定の基準は、細胞の増殖作用が認められるものについては、その作用が明らかに確認できる濃度とし、それ以外の物質については被験物質添加２４時間後の所見で細胞毒性が認められなかった濃度で一番高い濃度とした。
【００４３】
【表１】
2005341804.tif 000002
【００４４】
【表２】
2005341804.tif 000003
【００４５】
実施例２  ヒト乳癌細胞ＭＣＦ７およびＴ−４７Ｄを用いた遺伝子の解析
以下の方法によりＭＣＦ７細胞およびＴ−４７Ｄ細胞から標識核酸プローブを調製した。
（１）活性炭処理した牛胎仔血清の調製
活性炭処理した牛胎仔血清の調製は、セル、第１０巻、３５−４４頁（１９７７）記載のＳｔａｎｌｅｙらの方法に従って行った。すなわち、非動化牛仔児血清（５６℃，３０分間処理したもの）５００ｍｌに活性化した活性炭（活性炭２５ｇを蒸留水中で撹拌後、濾紙でろ過したもの）を５（ｗ／ｖ）％の濃度及びＤｅｘｔｒａｎを０．５（ｗ／ｖ）％となるように添加した。この溶液を数回撹拌後４℃で終夜放置する。その後、遠心分離（２００ｒｐｍ，２０分間）で上清を回収し濾紙でろ過した。そして、これをフィルター（０．２２μｍ）滅菌し、−２０度で保存した。
（２）細胞の培養
細胞の培養は、ｐｈｅｎｏｌ  ｒｅｄを含まないＤｕｌｂｅｃｃｏ’ｓ  ｍｏｄｉｆｉｃａｔｉｏｎ  ｏｆ  Ｅａｇｌｅ’ｓ  ｍｅｄｉｕｍ  （ＤＭＥＭ）培地に２ｍＭのＬ−グルタミンおよびｐｅｎｉｃｉｌｌｉｎ−ｓｔｒｅｐｔｏｍｙｃｉｎ（５００Ｕ／ｍｌ，５００μｇ／５００ｍｌ）を添加した培地（無血清培地）を用いて行い、３７℃、飽和湿度、５％の二酸化炭素／９５％空気の条件で培養した。ＭＣＦ−７細胞の場合は５日間、Ｔ−４７Ｄ細胞の場合は４日間プレインキュベートし３つの陽性対照物質（Ｅ２、ＥＥ、ＤＥＳ）及び被験物質、さらにＴＰと陰性対照物質としてカナマイシン（ＫＭ、２０μＭ）を添加した。また、３つの陽性対照物質及び被験物質の処理時間は、直接エストロゲンレセプターを介して変動する遺伝子を検出すること、および培養細胞株（ＭＣＦ−７細胞）において６−８時間処理で多くの変動遺伝子が観測されたことから、６時間と設定した。
【００４６】
ＤＮＡチップを用いて実験を行うためのＭＣＦ−７細胞の大量培養は、血清培地で一定期間培養したＭＣＦ−７細胞をトリプシン処理し遠心分離で細胞を回収後（１０００ｒｐｍ、１ｍｉｎ）、無血清培地で細胞の洗浄を行った。その後、無血清培地でパスツールピペットを用いて単細胞になるまで懸濁し、１×１０６個／プレートとなるように１０ｃｍの培養プレートに調製し３日後に培地を交換後、さらに２日間培養を行った。そして培地を回収後、各々の濃度となるようにジメチルスルホキシドに溶解した試験試薬を無血清培地に０．１％の持ち込みとなるように添加し６時間培養を行った。そして、これらの細胞をＰＢＳで洗浄後トリプシン処理し遠心分離（１０００ｒｐｍ、３ｍｉｎ）で細胞の回収を行った。
【００４７】
Ｔ−４７Ｄ細胞の培養は、血清培地で一定期間培養したＴ−４７Ｄ細胞をトリプシン処理し遠心分離で細胞を回収後（１０００ｒｐｍ、３ｍｉｎ）、無血清培地で細胞の洗浄を行った。その後、無血清培地でパスツールピペットを用いて単細胞になるまで懸濁し、１×１０６個／プレートとなるように１０ｃｍの培養プレートに調製し４日間培養を行った。そして培地を回収後、各々の濃度となるようにジメチルスルホキシドに溶解した試験試薬を無血清培地に０．０１％の持ち込みとなるように添加し６時間培養を行った。そして、これらの細胞をＰＢＳで洗浄後トリプシン処理し遠心分離（１０００ｒｐｍ、３ｍｉｎ）で細胞の回収を行った。
【００４８】
（３）細胞からのＲＮＡ抽出、Ｔ７−ｂａｓｅｄ  ＲＮＡ増幅によるａＲＮＡの取得とプローブの調製
上記細胞からのトータルＲＮＡの回収は、ＳｔｒａｔａＰｒｅｐ（ストラタジーン社製）を用いて行った。ここで得られたトータルＲＮＡの濃度は、ＯＤ２６０／２８０で調べた。１０ｃｍの培養プレートからｔｏｔａｌ  ＲＮＡの回収を行った結果、培養プレート１枚あたりからＭＣＦ−７細胞では１１〜１５μｇおよびＴ−４７Ｄ細胞からは２０〜２９μｇのトータルＲＮＡが回収された。
各被験物質と接触させた細胞から回収したトータルＲＮＡ１μｇにＴ７プロモータ配列を付加したＯｌｉｇｏ（ｄＴ）プライマー（タカラバイオ社製）を添加し、７０℃で５分熱処理した後に氷上で急冷を行った。その後、５×Ｍ−ＭＬＶ  ｂｕｆｆｅｒ、ｄＮＴＰ混合物、Ｒｉｂｏｎｕｃｌｅａｓｅ  ｉｎｈｉｂｉｔｏｒ、逆転写酵素Ｍ−ＭＬＶ（いずれもタカラバイオ社製）を加えて２０μｌとした後、４２℃で６０分インキュベートを行い１ｓｔ  ｓｔｒａｎｄ  ｃＤＮＡ溶液とした。
【００４９】
上記１ｓｔ  ｓｔｒａｎｄ  ｃＤＮＡ溶液に５×２ｎｄ  ｒｅａｃｔｉｏｎ  ｂｕｆｆｅｒ、ｄＮＴＰ混合物、ＤＮＡリガーゼ、ＤＮＡポリメラーゼ、ＲＮａｓｅＨ（いずれもタカラバイオ社製）を加えて１５０μｌとした後、１６℃で１２０分インキュベートを行った。その後、この溶液に５０μｌの１０Ｍ  酢酸アンモニウムを加えた後、等量のクロロホルム：イソアミルアルコール（＝２４：１）を加え、撹拌後、遠心分離を行い、水層を回収した。この水層に２．５倍量のエタノールを加えエタノール沈殿を行った後、ＤＥＰＣ処理水に溶解し２ｎｄ  ｓｔｒａｎｄ  ｃＤＮＡ溶液とした。
【００５０】
２ｎｄ  ｓｔｒａｎｄ  ｃＤＮＡ溶液に１０×ｒｅａｃｔｉｏｎ  ｂｕｆｆｅｒ、ＮＴＰ混合物、Ｔ７  ＲＮＡポリメラーゼ、Ｒｉｂｏｎｕｃｌｅａｓｅ  ｉｎｈｉｂｉｔｏｒ（いずれもタカラバイオ社製）を加えて２０μｌとした後、３７℃で４時間インキュベートを行った。その後、この溶液に８００μｌのＩＳＯＧＥＮ（ニッポンジーン社製）、２００μｌのクロロホルムを加え、撹拌後、遠心分離を行い、水層を回収した。この水層に等量のイソプロパノールを添加しイソプロパノール沈殿を行った後、ＤＥＰＣ処理水に溶解しａＲＮＡ溶液とした。得られたａＲＮＡの濃度は、一部をとりＯＤ２６０とＯＤ２８０を測定することにより、また純度はＯＤ２６０／２８０の比より算出した。
【００５１】
ＭＣＦ７細胞またはＴ−４７Ｄ細胞から調製した比較する２種のａＲＮＡ２μｇとランダム（６ｍｅｒ）プライマーを７０℃で５分熱変性した後に氷上で急冷を行った。次に、Ｍ−ＭＬＶ  ｂｕｆｆｅｒ、ｄＮＴＰ混合物、Ｒｉｂｏｎｕｃｒｅａｓｅ  ｉｎｈｉｂｉｔｏｒ、逆転写酵素Ｍ−ＭＬＶを加えて全量を２０μｌとした後、４２℃で６０分間インキュベートを行った。ここで、コントロール群はＣｙ３標識、テスト群はＣｙ５標識した。これらの標識プローブを、７０℃で１０分間熱処理した後にＣｅｎｔｒｉＳｅｐ（ミリポア社製）を用いて精製を行った。そして、Ｃｙ３標識したプローブとＣｙ５標識したプローブを混合後、ＤＥＰＣ処理水で１００μｌとし等量のクロロホルム：イソアミルアルコール（＝２４：１）を加え、ボルテックスで撹拌後、遠心分離を行い、水層を回収した。この水層に５×Ｃｏｍｐｅｔｉｔｏｒ  Ｉ（Ｈｕｍａｎ、タカラバイオ社製）を添加しエタノール沈殿を行い１０μｌのハイブリダイゼーション溶液に溶解し、これをプローブ溶液とした。
【００５２】
（４）ＤＮＡチップを用いた遺伝子の解析
上記プローブ溶液を９５℃で２分間処理し熱変性を行った後、室温で数分間インキュベートした。この溶液を遠心分離（１４５００ｒｐｍ、１０ｍｉｎ、２０℃）し沈殿物の除去を行った。次に、ＤＮＡチップ用カバーガラス（タカラバイオ社製）を載せたＤＮＡチップ（IntelliGene Human DNA chip、タカラバイオ社製）に、この溶液を流し込みハイブリダイゼーションチャンバーで６５℃にて、終夜ハイブリダイゼーションを行った。ハイブリダイゼーション終了後、ＤＮＡチップに被せているＤＮＡチップ用カバーガラスを２×ＳＳＣ溶液中で静かにはがし、２×ＳＳＣ／０．２％ＳＤＳ溶液中で５５℃、５分間の洗浄を２回、続いて２×ＳＳＣ／０．２％ＳＤＳ溶液中で６５℃、５分間の洗浄を行った。そして、０．０５×ＳＳＣ溶液中でリンスを行い、遠心（１０００ｒｐｍ、３ｍｉｎ）し、ＤＮＡチップを乾燥させた。このＤＮＡチップをＡｆｆｙｍｅｔｒｉｘ  ４２８  Ａｒｒａｙ  Ｓｃａｎｎｅｒ（Ａｆｆｙｍｅｔｒｉｘ社製）を用いて各スポットのＣｙ３、Ｃｙ５それぞれの蛍光強度を測定した。
【００５３】
Ａｆｆｙｍｅｔｒｉｘ  ４２８  Ａｒｒａｙ  Ｓｃａｎｎｅｒを用いて比較する２種（コントロール：Ｃｙ３画像、テスト：Ｃｙ５画像）のスキャンした画像をＩｍａＧｅｎｅ  ４．２（Ｂｉｏｄｉｓｃｏｖｅｒｙ社製）に取り込ませ、これらの画像を重ね合わせた（Ｆａｌｓｅ  Ｃｏｖｅｒ  Ｏｖｅｒｌａｙ）。そして、各スポットの位置を指定し（グリッディング）、スポットシグナルを数値化した。これらのデータを用いて遺伝子発現レベルの比較を行うためにすべての遺伝子のシグナルを用いて標準化（Ｇｌｏｂａｌ  Ｎｏｒｍａｌｉｚａｔｉｏｎ）を行った後、コントロールと比較したとき遺伝子の発現（または抑制）比が２倍以上（または１／２以下）見られた遺伝子、さらに１．５倍以上（または１／１．５以下）みられた遺伝子について表３〜表３１に示す。実験は、Ｎ１、Ｎ２の２回実施し、その平均値を示した。ここで、シグナルの有効値は、（Ｓｉｇｎａｌ  ｍｅａｎ）−（Ｂａｃｋｇｒｏｕｎｄ  ｍｅａｎ）＞２×（Ｂａｃｋｇｒｏｕｎｄ  ＳＤ）を採用した。
【００５４】
すなわち、乳癌細胞株であるＭＣＦ７およびＴ−４７Ｄ細胞において、エストロゲン作用陽性化合物である１７β−エストラジオール（Ｅ２）、エチニルエストラジオール（ＥＥ）、ジエチルスチルベストロール（ＤＥＳ）のいずれかの作用で遺伝子発現に変動がみられたものであり、ＭＣＦ７で発現が促進された遺伝子を表３〜表９に、ＭＣＦ７で発現が抑制された遺伝子を表１０〜表１４に、Ｔ−４７Ｄで発現が促進された遺伝子を表１５〜表１８に、Ｔ−４７Ｄで発現が抑制された遺伝子を表１９〜表３１に示す。
【００５５】
【表３】
2005341804.tif 000004
【００５６】
【表４】
2005341804.tif 000005
【００５７】
【表５】
2005341804.tif 000006
【００５８】
【表６】
2005341804.tif 000007
【００５９】
【表７】
2005341804.tif 000008
【００６０】
【表８】
2005341804.tif 000009
【００６１】
【表９】
2005341804.tif 000010
【００６２】
【表１０】
2005341804.tif 000011
【００６３】
【表１１】
2005341804.tif 000012
【００６４】
【表１２】
2005341804.tif 000013
【００６５】
【表１３】
2005341804.tif 000014
【００６６】
【表１４】
2005341804.tif 000015
【００６７】
【表１５】
2005341804.tif 000016
【００６８】
【表１６】
2005341804.tif 000017
【００６９】
【表１７】
2005341804.tif 000018
【００７０】
【表１８】
2005341804.tif 000019
【００７１】
【表１９】
2005341804.tif 000020
【００７２】
【表２０】
2005341804.tif 000021
【００７３】
【表２１】
2005341804.tif 000022
【００７４】
【表２２】
2005341804.tif 000023
【００７５】
【表２３】
2005341804.tif 000024
【００７６】
【表２４】
2005341804.tif 000025
【００７７】
【表２５】
2005341804.tif 000026
【００７８】
【表２６】
2005341804.tif 000027
【００７９】
【表２７】
2005341804.tif 000028
【００８０】
【表２８】
2005341804.tif 000029
【００８１】
【表２９】
2005341804.tif 000030
【００８２】
【表３０】
2005341804.tif 000031
【００８３】
【表３１】
2005341804.tif 000032
【００８４】
実施例３  リアルタイムＰＣＲによる遺伝子発現の確認
実施例２で得られた内分泌かく乱作用を受ける遺伝子について、別法によっても同様の結果が得られるかどうかについて検討した。別法としては、リアルタイムＰＣＲ法を用いた。対象となる遺伝子は、ＤＮＡチップの結果より、エストロゲン陽性対照化合物であるＥ２、ＤＥＳおよびＥＥにおいて特異的に発現すると考えられた３６の遺伝子を選別した。選別の基準については、ＭＣＦ７とＴ−４７Ｄ細胞を用いたＤＮＡチップ解析は、これまでにＥ２を作用させた試験を５回、ＥＥでは３回、ＤＥＳでは２回おこなった。これらの結果より再現性よく遺伝子の発現変動がみられたと判断されたもので、ＤＮＡチップ解析のシグナル強度が平均値の１０％以上であったものを選別した（表３２、表３３）。表３２、表３３において、実施例２で発現が認められた遺伝子について、ＭＣＦ７、Ｔ−４７Ｄの欄に○印で示した。また、Gene nameは、Ｕｎｉ  Ｇｅｎｅデータベース由来の遺伝子についてはＵｎｉ  Ｇｅｎｅデータベースに表示の遺伝子名を、（Ｕｎｉ  Ｇｅｎｅ）として表示し、それ以外の遺伝子については、ＧｅｎＢａｎｋデータベースに表示の遺伝子名を示した。
【００８５】
【表３２】
2005341804.tif 000033
【００８６】
【表３３】
2005341804.tif 000034
【００８７】
リアルタイムＰＣＲに用いるプライマーの設計は次のように行った。まず、ＤＮＡチップ解析の結果、発現に変動が認められた遺伝子についてＧｅｎｅＢａｎｋのＡｃｃｅｓｓｉｏｎ  ｎｕｍｂｅｒより塩基配列を検索した。次にＰＣＲによる増幅領域が１５０〜２００ｂｐ程度になるように、塩基配列より増幅しやすい領域を選択し、その５’末端と３’末端に２０塩基程度のプライマーを設定して、合成ＤＮＡ機を用いてプライマーを合成した。調製したプライマーを配列表の配列番号１〜７２に示す。リアルタイムＰＣＲを行うためのテンプレートとなるトータルＲＮＡは、実施例２記載の方法で調製したものを用いた。
【００８８】
トータルＲＮＡをテンプレートに用いたリアルタイムＰＣＲは、Ｒｅａｌ  Ｔｉｍｅ  Ｏｎｅ  Ｓｔｅｐ  ＲＮＡ  ＰＣＲ  Ｋｉｔ（タカラバイオ社製）を用いて行った。まず、スマートサイクラー反応チューブ（タカラバイオ社製）を予め冷やしておき、１０×Ｒｅａｌ  Ｔｉｍｅ  ＲＮＡ  ＰＣＲ  Ｂｕｆｆｅｒ、２５ｍＭ  ＭｇＣｌ２、１０ｍＭ  ｄＮＴＰ混合物、ＲＮａｓｅ  Ｉｎｈｉｂｉｔｏｒ（４０Ｕ／μｌ）、Ｆｏｒｗａｒｄ  Ｐｒｉｍｅｒ（２０μＭ）、Ｒｅｖｅｒｓｅ  Ｐｒｉｍｅｒ（２０μＭ）、ＳＹＢＲ  Ｇｒｅｅｎ  Ｉ、逆転写酵素（ＡＭＶ；５Ｕ／μｌ）、ＴａＫａＲａ  Ｅｘ  Ｔａｑ  Ｒ−ＰＣＲ（５Ｕ／μｌ）および適量のｄＨ２Ｏを加えて一定量とする。最後に上記のように調製したテンプレートを加えて、混合した後、スマートサイクラーに入れて反応をスタートした。反応条件は、５０℃  １０ｍｉｎで逆転写反応を行った後、９５℃  ３０ｓｅｃで逆転写酵素を失活させる。続けて９４℃  １０ｓｅｃと６５℃  ２０ｓｅｃおよび７２℃  ３０ｓｅｃを１サイクルとする３０サイクル反応を行った。
【００８９】
まず、通常のＲＴ−ＰＣＲを行い、それぞれのトータルＲＮＡをテンプレートに用いて増幅を行って、ＲＴ−ＰＣＲの条件を検討した。ＲＴ−ＰＣＲに用いるプライマーの組み合わせと対象遺伝子の関係について表３２、表３３に示す。次に、それぞれの化合物を反応させた乳癌細胞より得られたトータルＲＮＡをテンプレートに用いてリアルタイムＰＣＲを行った結果を表３４〜表３９（ＭＣＦ７細胞）と表４０〜表４５（Ｔ−４７Ｄ細胞）に示す。
【００９０】
【表３４】
2005341804.tif 000035
【００９１】
【表３５】
2005341804.tif 000036
【００９２】
【表３６】
2005341804.tif 000037
【００９３】
【表３７】
2005341804.tif 000038
【００９４】
【表３８】
2005341804.tif 000039
【００９５】
【表３９】
2005341804.tif 000040
【００９６】
【表４０】
2005341804.tif 000041
【００９７】
【表４１】
2005341804.tif 000042
【００９８】
【表４２】
2005341804.tif 000043
【００９９】
【表４３】
2005341804.tif 000044
【０１００】
【表４４】
2005341804.tif 000045
【０１０１】
【表４５】
2005341804.tif 000046
【０１０２】
表３４〜表４５に示したように、２回のＤＮＡチップの結果Ｎ１とＮ２と、トータルＲＮＡをテンプレートに用いたリアルタイムＰＣＲの結果が、よく相関していた。特に、Ｔ−４７Ｄ細胞を用いた場合には、発現比率が０．６６６以下や１．５以上の遺伝子についても非常に高い相関性がみられた。
【０１０３】
また、一部の遺伝子についてａＲＮＡをテンプレートに用いたリアルタイムＰＣＲを行った。ａＲＮＡをテンプレートに用いた場合にもＤＮＡチップの結果と高い相関性がみられた。さらに、トータルＲＮＡをテンプレートに用いた場合には、ほとんど変動が認められなかったものが、ａＲＮＡをテンプレートに用いた場合に発現変動が確認され、ＤＮＡチップの結果と一致したものが幾つか存在した。これはトータルＲＮＡを用いた場合にはターゲットとなる遺伝子が、わずかにしか存在せず検出できなかったものが、ａＲＮＡを用いたことにより増幅されて検出が可能になったと考えられた。
【０１０４】
実施例４  リアルタイムＰＣＲで確認できた遺伝子における他の被験物質の挙動の評価
リアルタイムＰＣＲで信頼性を確認できた遺伝子について、陽性対照化合物であるＥ２、ＤＥＳおよびＥＥと、ＯＰおよびＮＰに着目し、これら５化合物のうち、３つ以上の化合物の作用で発現が変動した遺伝子を選択した。ＭＣＦ７で発現が促進された遺伝子を表４６、表４７に、ＭＣＦ７で発現が抑制された遺伝子を表４８、表４９に、Ｔ−４７Ｄで発現が促進された遺伝子を表５０、表５１に、Ｔ−４７Ｄで発現が抑制された遺伝子を表５２、表５３に示す。
【０１０５】
【表４６】
2005341804.tif 000047
【０１０６】
【表４７】
2005341804.tif 000048
【０１０７】
【表４８】
2005341804.tif 000049
【０１０８】
【表４９】
2005341804.tif 000050
【０１０９】
【表５０】
2005341804.tif 000051
【０１１０】
【表５１】
2005341804.tif 000052
【０１１１】
【表５２】
2005341804.tif 000053
【０１１２】
【表５３】
2005341804.tif 000054
【０１１３】
上記遺伝子について、他の被験物質の作用による挙動を実施例２記載の方法で比較した。その結果、ＭＣＦ７およびＴ−４７Ｄの両細胞でＢＢＰ、ＢＰおよびＤＢＰにおいてエストロゲン様作用の陽性対照化合物とよく似た挙動を示すことが明らかとなった。一方、ＴＰにはこのような作用は認められなかった。また、ＤＮＡチップ解析の結果、遺伝子の発現比率が２．０以上または０．５以下のものについて同様に、Ｅ２、ＤＥＳおよびＥＥと、ＯＰおよびＮＰに着目し、これら５化合物のうち、３つ以上の化合物の作用で発現が変動した遺伝子についても以下に示す。すなわち、ＭＣＦ７で発現が促進された遺伝子を表５４〜表５７に、ＭＣＦ７で発現が抑制された遺伝子を表５８〜表６５に、Ｔ−４７Ｄで発現が促進された遺伝子を表６６〜表６７に、Ｔ−４７Ｄで発現が抑制された遺伝子を表６８〜表７３に示す。
【０１１４】
【表５４】
2005341804.tif 000055
【０１１５】
【表５５】
2005341804.tif 000056
【０１１６】
【表５６】
2005341804.tif 000057
【０１１７】
【表５７】
2005341804.tif 000058
【０１１８】
【表５８】
2005341804.tif 000059
【０１１９】
【表５９】
2005341804.tif 000060
【０１２０】
【表６０】
2005341804.tif 000061
【０１２１】
【表６１】
2005341804.tif 000062
【０１２２】
【表６２】
2005341804.tif 000063
【０１２３】
【表６３】
2005341804.tif 000064
【０１２４】
【表６４】
2005341804.tif 000065
【０１２５】
【表６５】
2005341804.tif 000066
【０１２６】
【表６６】
2005341804.tif 000067
【０１２７】
【表６７】
2005341804.tif 000068
【０１２８】
【表６８】
2005341804.tif 000069
【０１２９】
【表６９】
2005341804.tif 000070
【０１３０】
【表７０】
2005341804.tif 000071
【０１３１】
【表７１】
2005341804.tif 000072
【０１３２】
【表７２】
2005341804.tif 000073
【０１３３】
【表７３】
2005341804.tif 000074
【０１３４】
上記遺伝子についてもＭＣＦ７及びＴ−４７Ｄの両細胞でＢＢＰ、ＢＰおよびＤＢＰにおいてエストロゲン様作用の陽性対照化合物とよく似た挙動を示すことが確認できた。また、ＴＰにはこのような作用は認められなかった。
【０１３５】
実施例５
（１）被験物質Ｅ２による処理時間の検討
実施例１−（１）で調製したＭＣＦ７と被験物質のＥ２、ＥＥ、ＤＥＳ、ＢＢＰ、ＢＰ、ＯＰを使用した。被験物質は、高純度のジメチルスルホキシド（ＤＭＳＯ）に溶解したｓｔｏｃｋ  ｓｏｌｕｔｉｏｎとして調製し、使用時に培地で希釈することによりＤＭＳＯの最終濃度が０．１％となるようにした。細胞に添加する被験物質Ｅ２の濃度は、１ｐＭ、１０ｐＭ、０．１ｎＭ、１ｎＭ、及び５ｎＭになるように調製した。
まず始めに、ＭＣＦ７細胞へのエストロゲン陽性対象物質１７β−エストラジオール（Ｅ２）の曝露時間を検討した。すなわち、各濃度のＥ２を使用し、曝露時間は、１、２、６、１２、２４時間の処理時間とした。一方、ＤＮＡチップ解析のためのコントロールは、同時間同濃度（終濃度０．１％）のＤＭＳＯで処理された細胞を使用した。また、細胞への処理からＤＮＡチップ解析までの一連の実験を２回繰り返して行なった。その結果、Ｅ２曝露による発現変動遺伝子数は、時間経過とともに増加を示した。
【０１３６】
この発現変動遺伝子のうち、約１００種類の遺伝子を抽出し、各遺伝子の時間経過にともなう発現変動のパターンをマイクロアレイデータ解析ソフトウエア  ジーンスプリングまたは、ＧｅｎｅＳｉｇｈｔを用いて解析した結果、階層型クリスタリングにより大きく８種類のグループに分かれた。そのうち３グループは発現抑制を起こす遺伝子群であり、曝露初期の段階から抑制されるグループ（グループＢ）、後期段階から抑制されるグループがあった（グループＡ）。また、発現が誘導されるグループは、５グループの遺伝子群に分かれた。初期段階から誘導されるグループ（グループＣ）や後半において誘導されるグループ等（グループＨ）に分かれた。これらのグループのなかで、特に、ある時間において発現変動が大きく変わる遺伝子は存在せず、時間経過とともに変動が大きくなる傾向が見られた。さらに、これらのグループに属している遺伝子群の機能を検討するため、各遺伝子をＧｅｎｅ  Ｏｎｔｏｌｏｇｙ  Ｃｏｎｓｏｒｔｉｕｍ（ｈｔｔｐ：／／ｗｗｗ．ｇｅｎｅｏｎｔｏｌｏｇｙ．ｏｒｇ）による分類区分にしたがって分類した。特徴的な機能を含むグループとして、グループＡ、Ｆ、Ｈが見出された。前記グループＨは転写因子である「ｔｒａｎｓｃｒｉｐｔｉｏｎ  ｒｅｇｕｌａｔｏｒ」を多く含み、グループＡは「ｌｉｇａｎｄ  ｂｉｎｄｉｎｇ  ｏｒ  ｃａｒｒｉｅｒ」と「ｓｉｇｎａｌ  ｔｒａｎｓｄｕｃｅｒ」に関係する遺伝子が多いことが確認できた。また、曝露時間も１２時間以上が好適であることが確認できた。上記１２時間の曝露処理した細胞について実施例２−（２）〜（４）記載の方法で発現変動遺伝子を解析した。
【０１３７】
（２）Ｅ２以外の被験物質による曝露処理
上記（１）の結果をもとにして、Ｅ２以外の被験物質について検討した。使用した化合物は、エチニルエストラジオール（ＥＥ）、ジエチルスチルベストロール（ＤＥＳ）、ビスフェノールＡ（ＢＰＡ）、フタル酸ベンジル−ｎ−ブチル（ＢＢＰ）、ベンゾフェノン  （ＢＰ）、４−オクチルフェノール（ＯＰ）である。曝露時間は１２時間とした。また使用濃度は、ＥＥは１０ｐＭと１ｐＭ、ＤＥＳは１００ｐＭと１０ｐＭ、ＢＰＡは１０μＭと１μＭ、ＢＢＰは１０μＭと１μＭ、ＢＰは１０μＭと１μＭ、ＯＰは１μＭと０．１μＭについて検討した。これらの被験物質について、上記（１）の場合と同様の方法で発現変動遺伝子の解析を行った。解析方法は、実施例２記載の方法と同様にした。Ｅ２、ＥＥ、ＤＥＳ、ＢＰＡ、ＢＢＰ、ＢＰ、ＯＰのいずれかで発現変動する特徴的な遺伝子の解析結果について表７４に示す。
【０１３８】
【表７４】
2005341804.tif 000075
【０１３９】
（２）発現変動遺伝子の解析
実施例３の表３２〜３３に記載の３６遺伝子、ならびに上記（１）の表７４記載の２６遺伝子についてさらに比較検討した。その結果、表７５に示す７遺伝子が重複していることが確認された。すなわち、例えば当該７遺伝子を固定化したＤＮＡアレイあるいは当該７遺伝子を増幅するためのプライマー対でＲＴ−ＰＣＲを行うことにより、内分泌かく乱作用を精度よく解析できる。
【０１４０】
【表７５】
2005341804.tif 000076
【０１４１】
表７５に示した７遺伝子を含む遺伝子群を内分泌かく乱物質の検出に利用することが好適であることが示唆された。
【産業上の利用可能性】
【０１４２】
以上のように、本発明により被験物質の有する内分泌かく乱作用にの解析のためのＤＮＡマイクロアレイが提供される。本発明のＤＮＡアレイを用いることにより、既知の内分泌かく乱物質と同等の内分泌かく乱作用を有する未知物質を同定することができる。
【図面の簡単な説明】
【０１４３】
【図１】本発明における、ＭＣＦ７を用いた細胞増殖試験の結果である。
【図２】本発明における、ＭＣＦ７を用いた細胞増殖試験の結果である。
【図３】本発明における、Ｔ−４７Ｄを用いた細胞増殖試験の結果である。
【図４】本発明における、Ｔ−４７Ｄを用いた細胞増殖試験の結果である。
【配列表フリーテキスト】
【０１４４】
SEQ ID NO:1; Designed oligonucleotide primer to amplify a GenBank accession AF010316 gene
SEQ ID NO:2; Designed oligonucleotide primer to amplify a GenBank accession AF010316 gene
SEQ ID NO:3; Designed oligonucleotide primer to amplify a GenBank accession NM_002482 gene
SEQ ID NO:4; Designed oligonucleotide primer to amplify a GenBank accession NM_002482 gene
SEQ ID NO:5; Designed oligonucleotide primer to amplify a GenBank accession AB007899 gene
SEQ ID NO:6; Designed oligonucleotide primer to amplify a GenBank accession AB007899 gene
SEQ ID NO:7; Designed oligonucleotide primer to amplify a GenBank accession NM_006764 gene
SEQ ID NO:8; Designed oligonucleotide primer to amplify a GenBank accession NM_006764 gene
SEQ ID NO:9; Designed oligonucleotide primer to amplify a GenBank accession NM_004448 gene
SEQ ID NO:10; Designed oligonucleotide primer to amplify a GenBank accession NM_004448 gene
SEQ ID NO:11; Designed oligonucleotide primer to amplify a GenBank accession NM_001259 gene
SEQ ID NO:12; Designed oligonucleotide primer to amplify a GenBank accession NM_001259 gene
SEQ ID NO:13; Designed oligonucleotide primer to amplify a GenBank accession X00474 gene
SEQ ID NO:14; Designed oligonucleotide primer to amplify a GenBank accession X00474 gene
SEQ ID NO:15; Designed oligonucleotide primer to amplify a GenBank accession NM_053056 gene
SEQ ID NO:16; Designed oligonucleotide primer to amplify a GenBank accession NM_053056 gene
SEQ ID NO:17; Designed oligonucleotide primer to amplify a GenBank accession AF104032 gene
SEQ ID NO:18; Designed oligonucleotide primer to amplify a GenBank accession AF104032 gene
SEQ ID NO:19; Designed oligonucleotide primer to amplify a GenBank accession NM_004430 gene
SEQ ID NO:20; Designed oligonucleotide primer to amplify a GenBank accession NM_004430 gene
SEQ ID NO:21; Designed oligonucleotide primer to amplify a GenBank accession NM_001254 gene
SEQ ID NO:22; Designed oligonucleotide primer to amplify a GenBank accession NM_001254 gene
SEQ ID NO:23; Designed oligonucleotide primer to amplify a GenBank accession NM_001657 gene
SEQ ID NO:24; Designed oligonucleotide primer to amplify a GenBank accession NM_001657 gene
SEQ ID NO:25; Designed oligonucleotide primer to amplify a GenBank accession NM_005261 gene
SEQ ID NO:26; Designed oligonucleotide primer to amplify a GenBank accession NM_005261 gene
SEQ ID NO:27; Designed oligonucleotide primer to amplify a GenBank accession X51730 gene
SEQ ID NO:28; Designed oligonucleotide primer to amplify a GenBank accession X51730 gene
SEQ ID NO:29; Designed oligonucleotide primer to amplify a GenBank accession X14885 gene
SEQ ID NO:30; Designed oligonucleotide primer to amplify a GenBank accession X14885 gene
SEQ ID NO:31; Designed oligonucleotide primer to amplify a GenBank accession U03644 gene
SEQ ID NO:32; Designed oligonucleotide primer to amplify a GenBank accession U03644 gene
SEQ ID NO:33; Designed oligonucleotide primer to amplify a GenBank accession NM_001185 gene
SEQ ID NO:34; Designed oligonucleotide primer to amplify a GenBank accession NM_001185 gene
SEQ ID NO:35; Designed oligonucleotide primer to amplify a GenBank accession NM_003330 gene
SEQ ID NO:36; Designed oligonucleotide primer to amplify a GenBank accession NM_003330 gene
SEQ ID NO:37; Designed oligonucleotide primer to amplify a GenBank accession S66427 gene
SEQ ID NO:38; Designed oligonucleotide primer to amplify a GenBank accession S66427 gene
SEQ ID NO:39; Designed oligonucleotide primer to amplify a GenBank accession NM_001901 gene
SEQ ID NO:40; Designed oligonucleotide primer to amplify a GenBank accession NM_001901 gene
SEQ ID NO:41; Designed oligonucleotide primer to amplify a GenBank accession AK023088 gene
SEQ ID NO:42; Designed oligonucleotide primer to amplify a GenBank accession AK023088 gene
SEQ ID NO:43; Designed oligonucleotide primer to amplify a GenBank accession NM_001731 gene
SEQ ID NO:44; Designed oligonucleotide primer to amplify a GenBank accession NM_001731 gene
SEQ ID NO:45; Designed oligonucleotide primer to amplify a GenBank accession NM_003161 gene
SEQ ID NO:46; Designed oligonucleotide primer to amplify a GenBank accession NM_003161 gene
SEQ ID NO:47; Designed oligonucleotide primer to amplify a GenBank accession AF183421 gene
SEQ ID NO:48; Designed oligonucleotide primer to amplify a GenBank accession AF183421 gene
SEQ ID NO:49; Designed oligonucleotide primer to amplify a GenBank accession NM_005025 gene
SEQ ID NO:50; Designed oligonucleotide primer to amplify a GenBank accession NM_005025 gene
SEQ ID NO:51; Designed oligonucleotide primer to amplify a GenBank accession NM_003292 gene
SEQ ID NO:52; Designed oligonucleotide primer to amplify a GenBank accession NM_003292 gene
SEQ ID NO:53; Designed oligonucleotide primer to amplify a GenBank accession NM_000935 gene
SEQ ID NO:54; Designed oligonucleotide primer to amplify a GenBank accession NM_000935 gene
SEQ ID NO:55; Designed oligonucleotide primer to amplify a GenBank accession AB032261 gene
SEQ ID NO:56; Designed oligonucleotide primer to amplify a GenBank accession AB032261 gene
SEQ ID NO:57; Designed oligonucleotide primer to amplify a GenBank accession NM_000877 gene
SEQ ID NO:58; Designed oligonucleotide primer to amplify a GenBank accession NM_000877 gene
SEQ ID NO:59; Designed oligonucleotide primer to amplify a GenBank accession AF044209 gene
SEQ ID NO:60; Designed oligonucleotide primer to amplify a GenBank accession AF044209 gene
SEQ ID NO:61; Designed oligonucleotide primer to amplify a GenBank accession NM_006670 gene
SEQ ID NO:62; Designed oligonucleotide primer to amplify a GenBank accession NM_006670 gene
SEQ ID NO:63; Designed oligonucleotide primer to amplify a GenBank accession NM_001719 gene
SEQ ID NO:64; Designed oligonucleotide primer to amplify a GenBank accession NM_001719 gene
SEQ ID NO:65; Designed oligonucleotide primer to amplify a GenBank accession NM_001188 gene
SEQ ID NO:66; Designed oligonucleotide primer to amplify a GenBank accession NM_001188 gene
SEQ ID NO:67; Designed oligonucleotide primer to amplify a GenBank accession K02276 gene
SEQ ID NO:68; Designed oligonucleotide primer to amplify a GenBank accession K02276 gene
SEQ ID NO:69; Designed oligonucleotide primer to amplify a GenBank accession U33635 gene
SEQ ID NO:70; Designed oligonucleotide primer to amplify a GenBank accession U33635 gene
SEQ ID NO:71; Designed oligonucleotide primer to amplify a GenBank accession AF130111 gene
SEQ ID NO:72; Designed oligonucleotide primer to amplify a GenBank accession AF130111 gene
【図１】
2005341804.tif 000077
【図２】
2005341804.tif 000078
【図３】
2005341804.tif 000079
【図４】
2005341804.tif 000080
【配列表】
2005341804000001.app